(57)【要約】【課題】  光反射型センサによるコインの誤検出を防止し、かつコインセレクターの厚みを増大させることのないコインセレクターを提供することを目的とする。【解決手段】  径小コイン排除バー５１やコインキャンセルバー５２等を有する基板５０の前面に、基板５０から離間自在にコイン通路形成部材６０が取り付けられている。コイン通路形成部材６０は基板５０に密着した状態で基板５０との間にコイン通路７０を形成する。コイン通路７０の出口近傍に位置して基板５０にコイン計数用光反射型センサ８０，８１が配置される一方、光反射型センサセンサ８０，８１からの距離を長くするための誤検出防止用凹部６４が、コイン通路形成部材６０に光反射型センサ８０，８１と対向するように設けられている。【選択図】  図１
2008036103.tif 000002
【特許請求の範囲】
【請求項１】
正規のコインより径小のコインや全てのコインを排除するコイン排除機構を備えた固定基板と、該固定基板の前面に基板から離間自在に取り付けられており、コイン入口から投入されたコインを下方出口に向かって通過させるコイン通路を、基板に密着した状態で基板と共同して形成すると共に、そのコイン通路からコインを前面側へ強制排除するための窓孔を有する可動蓋式のコイン通路形成部材と、前記コイン通路に臨むようにその出口近傍に位置して前記固定基板に設けられたコイン計数用光反射型センサとを備えたコインセレクターにおいて、
前記コイン通路形成部材の前記コイン計数用光反射型センサとの対向位置に、当該センサからの離間距離を長くする誤検出防止用凹部が設けられていることを特徴とするコインセレクター。
【請求項２】
請求項１に記載のコインセレクターにおいて、
前記誤検出用防止用凹部の奥部である光反射型センサとの対向面が不規則な凹凸状に形成されているコインセレクター。
【発明の詳細な説明】
【技術分野】
【０００１】
本発明は、コインを遊技媒体として用いるパチスロ機に代表される回胴式遊技機や、硬貨を投入して商品と交換する自動販売機等に用いられるコインセレクターに関する。なお、この明細書において用いる「コイン」は、硬貨、メダルあるいはトークンを含む小さい円板体の全てを意味するものとする。
【背景技術】
【０００２】
従来、パチスロ機と称される回胴式遊技機において用いられているコインセレクターは、コイン通路の出口近傍にメダル計数用センサを備えているが、そのセンサーとしては例えば光反射型センサが用いられている。
【０００３】
光反射型センサの場合は、コインセレクターの基板側に発光素子と受光素子とが一対になったものが、一組だけ、或いはいわゆる糸吊りコイン等を使用した不正行為を防止するために二組がコイン転動方向に前後して配置される（特許文献１参照）。
【０００４】
【特許文献１】特開２００６−７５４１８号公報
【０００５】
このようなコインセレクターにおいては、コインが通過する際に発光素子から放たれた光がコインに反射して受光素子にキャッチされることにより１枚のコインが通過したものとしてコインの数量が計数され、あるいは二組のセンサにより通過時間差を計測することにより不正の有無等が検知される。
【０００６】
しかしながら、このような光反射型センサにおいては、コインが通過しないときであっても、センサの対向面に、例えばコインから剥がれたメッキが付着したり、その他の反射物質が付着しているような場合には、発光素子から放たれた光がそれらに反射して受光素子がそれを受光することにより、コインが正常に通過したものと誤認してしまうという誤検出の問題が生じることがある。
【０００７】
このような誤検出の問題を解決するためには、例えばセンサとの対向面を窓孔として開口させて、発光素子から放たれる光がコインセレクター外へ発散するようにしてしまうことが有効である。しかしながら、このような窓孔の開設は、遊技場の店員がセンサに誤って触れる機会を与えたり、外光の影響も受けたりするおそれもあるので、好ましい対策とは言えない。
【発明の開示】
【発明が解決しようとする課題】
【０００８】
本発明は、このような事情に鑑みてなされたもので、光反射型センサの誤検出の問題を解決し、しかも接触や外光の問題を生じず、更にはコインセレクターの厚みを増大させることもないコインセレクターを提供することを目的とする。
【課題を解決するための手段】
【０００９】
上記目的を達成するために、本発明に係るコインセレクターは、正規のコインより径小のコインや全てのコインを排除するコイン排除機構を備えた固定基板と、該固定基板の前面に基板から離間自在に取り付けられており、コイン入口から投入されたコインを下方出口に向かって通過させるコイン通路を、基板に密着した状態で基板と共同して形成すると共に、そのコイン通路からコインを前面側へ強制排除するための窓孔を有する可動蓋式のコイン通路形成部材と、前記コイン通路に臨むようにその出口近傍に位置して前記固定基板に設けられたコイン計数用光反射型センサとを備えたコインセレクターにおいて、前記コイン通路形成部材の前記コイン計数用光反射型センサとの対向位置に、当該センサからの離間距離を長くする誤検出防止用凹部が設けられた構成を採用する。
【００１０】
前記誤検出用防止用凹部は、その奥部である光反射型センサとの対向面が不規則な凹凸状に形成されていることが好ましい。
【発明の効果】
【００１１】
本発明のコインセレクターにおいては、コイン通路形成部材のコイン計数用光反射型センサとの対向位置に、光反射型センサからの離間距離を長くする誤検出防止用凹部が設けられているので、光反射型センサの発光素子から放たれた光が対向面から反射して受光素子に受光される危険がなくなり、光反射型センサの誤認による誤検出が防止される。また、光反射型センサがその凸部で保護され、店員が誤って触ったり外光の影響を受ける危険がない。更に、その凸部をコインセレクターの厚みの範囲内で形成できることにより、コインセレクターの厚み増大が回避される。
【００１２】
誤検出用防止用凹部の奥部である光反射型センサとの対向面が不規則な凹凸状に形成されている場合には、発光素子から放たれた光が、誤検出用防止用凹部の奥部で乱反射し、受光素子が反射光として感知する光の感度が減衰するので、より一層確実に、反射型光センサによる誤検出が防止される。また、凸部を高さを低くできるので、コインセレクターの厚み増大がより確実に回避される。
【発明を実施するための最良の形態】
【００１３】
以下、本発明の実施形態を図面に基づいて詳細に説明する。図１は本発明のコインセレクターが用いられた回胴式遊技機の正面図である。
【００１４】
図１に示すように、本実施形態のコインセレクターが搭載された回胴式遊技機１はパチスロ機である。この回胴式遊技機１は、四角形の箱体内に回転ドラムを内蔵した筐体（図示省略）と、筐体の正面側に開閉自在に取付けられた前扉１ｂとを備えている。
【００１５】
回胴式遊技機１の本体である筐体は、中段部にドラム部２を内蔵している。ドラム部２は、横に並んだ３つの縦型の回転ドラム、すなわち左ドラム２ａ、中ドラム２ｂ及び右ドラム２ｃにより構成される。各回転ドラムの内部には、回胴部図柄表示ＬＥＤが設けられており、各種演出に応じて発光（点灯や点滅）又は消灯を行う。なお、パチンコ機や液晶表示装置での表示を主とする特殊な回胴式遊技機（例えば、ロデオ社製パチスロ機「カイジ」）の場合は、小型のドラム部２が前扉１ｂに取り付けられている。
【００１６】
筐体内のドラム部２より下方には、他の回胴式遊技機と同様にメダル払出装置、電源部が設けられ（図示省略）、電源部の電源スイッチをオン状態にすることにより、各回路ブロックに電源を供給し、初期チェックや初期設定の後、変動表示ゲームを実行させるものである。
【００１７】
回胴式遊技機の顔とも言うべき前扉１ｂは、前記筐体の正面側に片ヒンジ結合により開閉可能に取付けられている。この前扉１ｂにおいては、高級感の創出やデザイン性の要求で独特の金属感が求められており、通常のクロムめっき、ダーククロムめっき、本物の硬質金めっき、メタライジング（めっき）やサテン調（めっき）などを樹脂素材に付加し華やかさが演出されている。
【００１８】
前扉１ｂの中段からその上側にかけての目立つ部分には、四角形の透明パネル２１が嵌め込まれた角窓が設けられている。角窓には、透明パネル２１の裏側に位置してデザインパネル２２が取り付けられている。
【００１９】
デザインパネル２２は、ゲーム状況に応じて各種演出を行う表示演出装置１１（又は映像装置）を取り付ける表示演出装置取付部（図示省略）が形成された上面部２２ａ、図柄表示窓３が形成された中面部２２ｂ、及び発光表示装置が取り付けられる下面部２２ｃとで形成された底面部２２ｄを有する。
【００２０】
デザインパネル２２の中面部２２ｂには、四角形の図柄表示窓３が設けられている。この図柄表示窓３により、ドラム部２に貼り付けられている図柄が透明パネル２１を通して目視可能となる。この図柄表示窓３には、横方向に延びる３本の有効ラインと、斜め方向に交差する２本の有効ラインとの合計５本の有効ラインが、左ドラム２ａと中ドラム２ｂ及び中ドラム２ｂと右ドラム２ｃを結ぶ線で目立つように表示されている。有効ラインの下側には、回胴部ライン表示ＬＥＤが埋め込まれており、入賞時に点灯又は点滅するようになっている。
【００２１】
図柄表示窓３が設けられた中面部２２ｂの下側に位置する下面部２２ｃには、表示ＬＥＤブロック４が設けられている。表示ＬＥＤブロック４は、投入枚数ＬＥＤ、コイン貯留枚数表示ＬＥＤ、コイン払出枚数表示ＬＥＤ及びナビゲーションＬＥＤの表示ＬＥＤ群で構成される。
【００２２】
前扉１ｂには更に、透明パネル２１が嵌め込まれた角窓の下側に位置して、遊技コイン  投入口５、清算ボタン６、１ベッドボタン７、マックスベッドボタン８、スタートレバー９、３つの停止ボタン１０ａ，１０ｂ及び１０ｃを有する停止ボタン部１０、ドア鍵穴１４、スペシャルボタン１９及び投入メダル詰まり返却ボタン２８が設けられている。これらは、前扉１ｂの中段部正面の操作部に集中的に配置されている。
【００２３】
遊技コイン投入口５は、ドラム部２（回転ドラム）を回転及び停止させる変動表示ゲームを開始させるための遊技コイン（遊技媒体であり、メダルという場合もある）を投入するところである。なお、遊技コイン投入口５の両サイドにはコイン投入表示ＬＥＤ５ａ及び５ｂが設けられており、コインが投入不能な場合には赤色（第一の色）で、一方コインが投入可能であって遊技用に加算表示されるときには青色（第二の色）で、コイン貯留装置に加算表示されるときには緑色（第三の色）で点灯する。なお、コイン投入不能な場合には、消灯としてもよい。
【００２４】
精算ボタン６は、コイン貯留装置（図示せず）の起動と解除及び投入コインと貯留コインの精算に使用する。１ベットボタン７は、遊技を行うためにコイン貯留装置の貯留コインを１枚投入するときに使用する。マックスベットボタン８は、遊技を行うためにコイン貯留装置の貯留コインを最大数である３枚投入するときに使用する。なお、マックスベットボタン３の内部には、ＬＥＤが設けられており、マックスベットボタン３が操作可能な状態のときに点灯するようになっている。
【００２５】
スタートレバー９は、回胴回転指示手段の一部であり、遊技を行うために所定数の遊技メダルを投入後、ドラム部２を一斉に始動させるときに使用する。
【００２６】
停止ボタン部１０は、回転しているドラム部２を停止させるときに使用され、操作しやすいように操作部の正面中央部分に配置されている。この停止ボタン部１０には、ストップスイッチである左停止ボタン１０ａ、中停止ボタン１０ｂ及び右停止ボタン１０ｃの３つのボタンが横に並んで設けられており、ドラム部２が回転中にこれら操作することにより、それぞれのボタンに対応する左ドラム２ａ、中ドラム２ｂ及び右ドラム２ｃを停止させることができる。なお、停止ボタン部が操作可能の場合には、停止ボタン１０ａ、停止ボタン１０ｂ及び停止ボタン１０ｃに内蔵されているＬＥＤが点灯するようになっている。
【００２７】
ドア鍵穴１４は、ドアキーにより回胴式遊技機本体１の前扉１ｂを開けるときや、打ち止めの解除及びエラーによる遊技中止の解除の際に使用される。
【００２８】
スペシャルボタン１９は、表示演出装置１１に表示される各種ゲームやその映像演出に応じて要求される情報（例えば、戦闘機の機銃操作や爆弾投下、登場人物の移動方向等の入力情報）を、遊技者自身が入力するのに使用される。なお、このスペシャルボタン１９によって入力される情報は、後述する副基板（サブブロック）に与えられ、あくまで各種映像や音響演出にのみ用いられるものであるから、遊技結果に影響を及ぼすものではない。
【００２９】
投入コイン詰まり返却ボタン２８は、遊技コイン投入口５に続いて遊技メダルが通過する遊技コインセレクター（図示せず）に詰まった遊技メダルを返却する時に使用する。
【００３０】
前扉１ｂは更に、透明パネル２１及び操作部を取り囲むように配置されたスピーカ部１２及び遊技状態表示ＬＥＤ部１３を有している。スピーカ部１２は、前扉１ｂの最上部に配置された左上スピーカ１２ａ、右上スピーカ１２ｂ、操作部より下に配置された左下スピーカ１２ｃ及び右下スピーカ１２ｄの４スピーカで構成されており、各種演出に応じた効果音や段階設定値の変更中に警告音を発生する。なお、図示していないが、実際には左下スピーカ１２ｃ及び右下スピーカ１２ｄの上面全体を覆うように保護用のスピーカグリルが取り付けられている。
【００３１】
遊技状態表示ＬＥＤ部１３は、表示演出装置１１の最上部に設けられた上部状態表示ＬＥＤ１３ａと、更に両側面に設けられた左上状態表示ＬＥＤ１３ｂ、右上状態表示ＬＥＤ１３ｃ、左中状態表示ＬＥＤ１３ｄ、右中状態表示ＬＥＤ１３ｅ、左下状態表示ＬＥＤ１３ｆ及び右下状態表示ＬＥＤ１３ｇとで構成されており、各種の光演出を効果的に行う。また、段階設定値の変更中には、警告表示として点滅を繰り返す。
【００３２】
前扉１ｂの最下部には受け皿１５が設けられている。受け皿１５は、メダル払出装置１８（メダルホッパー１８）からコイン払出口１６を経て払い出された遊技メダルを一時的に貯留する部分であり、その数として数百枚程度まで受けることができる。
【００３３】
一方、前扉１ｂの最上部には、ロゴパネル部１７が設けられている。ロゴパネル部１７は、例えば出願人の名称である「ＮＥＴ」（ Next Entertainment Trend ）又は機種名など、各種商標表示を施すのに使用される。
【００３４】
２０は左下スピーカ１２ｃと右下スピーカ１２ｄの間に設けられた小物入れ部であり、紙幣類（例えば、千円札）やハンカチ、タバコ、ライターなど遊技者が必要とする物品を任意に置くために使用される。
【００３５】
以上が回胴式遊技機１の外観及び基本構造の説明である。次にこの回胴式遊技機１に用いられているコインセレクターＳの構成を説明する。
【００３６】
図２はコインセレクターＳの分解斜視図、図３は同コインセレクターＳの正面図、図４は図２のＰ−Ｐ線断面図、図５は同コインセレクターからコイン通路形成部材を取り外した状態の正面図、図６〜図１１はコインセレクターＳの動作説明図である。
【００３７】
なお、このコインセレクターＳは、実際には、図２〜図１１に示す正面を回胴式遊技機１の後方に向けて設置されるものであり、回胴式遊技機１との位置関係によると、正面と背面とが逆になるが、説明の便宜上、コイン通路形成部材６０を有する側を正面と呼ぶことにする。
【００３８】
コインセレクターＳは、従来のコインセレクターと同様に、正規サイズより径小のコインを排除するコイン排除バー５１やコインキャンセルバー５２等のコイン排除機構を有する固定基板５０と、該基板５０の正面側を覆うことにより基板５０との間にコイン通路７０を形成するコイン通路形成部材６０とを主要な構成部材としている。
【００３９】
コイン通路形成部材６０は、基板５０から離間可能にその一部が基板５０に取り付けられた可動蓋式であり、図３に示すように、コイン通路形成部材６０が基板５０に押しつけられた状態に取り付けられることによって、固定基板５０との間にコイン通路７０を形成している。また、コイン排除バー５１やコインキャンセルバー５２等のコイン排除機構によって排除されるコインを排出するための窓孔６１を有している。
【００４０】
コイン通路７０は、図６、図８及び図１０から明らかなように、その左上のコイン入り口７１から右下のコイン出口７２に向かって変Ｌ字状に形成されており、その途中に、基板５０の側から、規格より径小のコインを排除するための径小コイン排除バー５１が突設されると共に、正規のコインを含めた全てのコインをコイン出口に到達させることなく、このセレクターの下方に落下させるコインキャンセルバー５２が突設されている。
【００４１】
固定基板５０は、前記のとおり、コイン排除機構として、径小コイン排除バー５１及びコインキャンセルバー５２を備えている。また、径小コイン排除バー５１による径小コインの前傾を行いやすくするためのコイン前傾助長溝５３を有している。更に、コイン通路形成部材６０を回動可能に支持するための一対のブラケット状の支持部５９，５９をコーナー部正面に有している。
【００４２】
径小コイン排除バー５１は、図７に示すように、垂直軸５１ａを中心として水平方向に所定角度回転可能であり、常時はコイン通路内７０に突出しており、正規のコインが通過する度にコインに押圧されて基板５０内に没し、コインが通過すると弾性部材（図示省略）に付勢されて基板５０から突出するものとなされている。
【００４３】
コイン前傾助長溝５３は、コインの進行方向に沿いかつ基板の奥に向かって浅く彫り込まれ、図７に示すように、径小のコインＣＮＳの下端部が潜り込んで前傾しやすくなるように設けられている。
【００４４】
コインキャンセルバー５２は、必要に応じてコインＣＮを常にコイン出口７２に到達させないようにするためのもので、コインセレクターＳとして機能させる際には、基板５０の奥に後退しているものである。この後退位置の保持・基板前方への突出は、基板後方に設けられたソレノイド５４によって動作され、常時はソレノイド５４が作動してコインキャンセルバー５２は、後退している。ソレノイド５４による後退保持を任意に解除することにより、コインキャンセルバー５２は基板５０前方に突出され、コイン入り口から投入された全てのコインＣＮ…がコインキャンセルバーに衝突して、進行方向が基板前方に変更され、下方からの支持を失うことによって、コインＣＮ…がコインセレクターＳから落下することになる。
【００４５】
固定基板５０には更に、コイン通路形成部材６０を前方へ押し上げ、コイン通路形成部材６０を少し上方に跳ね上げるようにして、その一部を基板５０から離間させるための跳ね上げピン５５が設けられている。この跳ね上げピン５５は、常時は後方に引っ張られており、その先端は基板前面より奥に後退しているが、基板後方の操作頭部５５ａが前方に押圧されることによって、跳ね上げピン先端が基板前面から突出して、コイン通路形成部材６０を跳ね上げ、コイン通路形成部材の一部を基板から離間させるのである。５６は、跳ね上げピン５５を常に後退方向に付勢しているばねである。
【００４６】
固定基板５０のコイン通路出口近傍には、二組の光反射型センサ８０、８１が、コインの転動方向に前後して配置されている。各光反射型センサ８０、８１は各々発光素子８０ａ、８１ａと受光素子８０ｂ、８１ｂとを備え、コインＣＮが通過すると発光素子８０ａ、８１ａから放たれた光がコインＣＮに反射され、受光素子８０ｂ、８１ｂが該反射光を受光することによりコインＣＮが通過したものと認識するようになっている。
【００４７】
コイン通路形成部材６０は、図２及び図３に示すように、上側の角部の１つを斜めに除去した台形パネル状に形成されており、その傾斜角部に支持部５９，５９により基板前面に沿って支持された支軸５７を回転軸として、基板５０に対して密着・離間自在に回転可能に取り付けられている。コイン通路形成部材６０には、前述したように、コイン通路７０を通過するコインの大半が露出する窓孔６１が設けられている。この窓孔６１は、コイン通路７０の中間部から下流部にかけての傾斜直線部に沿って形成されており、コイン選別時においては径小のコインＣＮＳが、コインキャンセル時にはコイン詰まりを起こさな大きさのコイン全てが、この透孔６１からセレクター下方に落下するものとなされている。
【００４８】
コイン通路形成部材６０には又、図３に示すように、その内面下端部に、コインＣＮを下方から支持するコインレール部６２が、基板５０の前面に向かって突設されている。このレール６２の幅は、コインの厚さに相当するものと設定されている。また、前記窓孔６１内縁のコインレール部６２上方対応位置には、コイン上端部を支持するコイン上端支持突縁６３が突設されている。コイン通路７０を通過する正規のコインＣＮは、径小コイン排除バー５１の付勢力を受けても、コインＣＮの上端部が該上端支持突縁６３に圧接されることにより、径小コインＣＮＳのように前傾させられることがない。
【００４９】
このコイン通路形成部材６０は、前記回転軸５７に巻支されたばね５８により、常に基板５０側に向かって付勢され、前記コインレール部６２及びコイン上端支持突縁６３が基板５０前面に密着するように圧接されている。
【００５０】
コイン通路形成部材６０の前記基板５０の光反射型センサ８０、８１との対向位置には、光反射型センサ８０、８１の発光素子からの距離を長くするための誤検出防止用凹部６４が設けられている。この誤検出防止用凹部６４の高さ、すなわちその開口から底面までの距離は、基板５０の補強用の側板５０ａ、５０ｂのコイン通路形成部材６０側への突出幅や、コイン通路形成部材６０の補強用の側板６９，６９の高さと同等に設定されており、誤検出防止用凹部６４が設けられることによってもコインセレクターＳ全体の厚さが増大しないように配慮されている。また、その凹部６４の奥部である光反射型センサとの対向面は、不規則な凹凸状に形成され、発光素子８０ａ、８１ａから放たれた光が、該奥部で乱反射することによって受光素子８０ｂ、８１ｂに必要な光量として受光されないものとなされている。なお、図中Ｍはマグネット、８２は近接センサーである。
【００５１】
而して、上記構成を有するコインセレクターの動作を図２〜図１０に基づいて説明すると、上記の説明からも明らかなように、正規のコインＣＮが回胴式遊技機１のコイン投入口５から投入され、コインセレクターＳのコイン入り口７１からコインセレクタＳ内に入って来ると、コインＣＮは、まず径小コイン排除バー５１に衝突する。このとき、正規サイズのコインＣＮは、径小コイン排除バー５１に付勢されて、コインの上端がコイン上端支持突縁６３に圧接される一方、径小コイン排除バー５１を基板５０内に後退する方向に回転させ、径小コイン排除バー５１に邪魔されることなく通過してゆく。
【００５２】
そして、ソレノイド５４が作動していて、コインキャンセルバー５２が基板後方に後退していれば、コインＣＮはさらにここも通過してコイン出口７２へと運ばれ、コイン出口７２からコインセレクター外に排出される。このとき、コイン通路出口近傍に二組の光反射型センサ８０、８１がコインの転動方向に前後して配置されていることにより、コインＣＮの通過及び通過時間等が検知される。コイン通路形成部材６０においては、光反射型センサ８０、８１の発光素子からの距離を長くするための誤検出防止用凹部６４が、光反射型センサ８０、８１に対向して設けらている。このためコインＣＮが通過しないときの反射光の誤検知が回避され、コインＣＮの検知精度が上がる。しかも、誤検出防止用凹部６４は光反射型センサ８０、８１のカバーでもあるので、光反射型センサ８０、８１を不用意に触る事態も回避される。更に、誤検出防止用凹部６４はコインセレクターＳの厚みを大きくせず、その大型化も回避する。
【００５３】
コイン入り口７１から投入されたコインＣＮＳの径が正規サイズのコインＣＮより径小である場合は、図７に示すように、コインＣＮＳの上端がコイン上端支持突縁６３よりも下方に位置することになる。すると、径小コイン排除バー５１前を通過するときに、径小コイン排除バー５１に付勢されて前方に押し出され始めるが、コインＣＮＳの上端がコイン上端支持突縁６３に接触できないので、コインＣＮＳは前傾し、支持を失って下方に落下することになる。
【００５４】
また、わずかにコイン上端支持突縁６３に接触する程度のサイズであれば、コインＣＮＳの下端部がコイン前傾助長溝５３に嵌りこんで、助長溝５３がなければ通過したであろう径小のコインＣＮＳも前傾が助長されることにより、コイン上端支持突縁６３との接触が行われなくなり、排除されやすくなる。
【００５５】
図８に示すように、正規サイズより径大のコインＣＮＢが、比較的大きめに設定されているコイン入り口７１から投入されて、径小コイン排除バー５１に衝突する前に、コイン通路７０にそれ以上進入できずに詰まっているような場合、あるいは正規のコインＣＮが重なってコイン通路７０に詰まったような場合は、コイン通路形成部材６０を前方に跳ね上げれば良い。
【００５６】
すなわち、図９に示すように、回胴式遊技機１の投入コイン詰まり返却ボタン２８を通じて跳ね上げピン５５を操作して、コイン通路形成部材６０の下部と基板５０前面とを大き離間させることにより、詰まったコインＣＮＢ，ＣＮをこれもまた下方に落下させることができる。このとき、コインレール部６２は、可動側であるコイン通路形成部材６０の内面に設けられている。このため、詰まったコインＣＮＢ，ＣＮは、コイン通路形成部材６０の側からの支持を失うだけでなく、下方からの支持をも失い、これにより確実に前下方（正面側下方）へ排除される。
【００５７】
上記実施形態においては、コインレール部６２がコイン通路形成部材６０にのみ設けられているが、コインレール部が、長手方向及び幅方向において、コイン通路形成部材と基板前面とに分割されていても良い。長手方向に分割される場合は、少なくともコイン排除部分においては、コインレール部がコイン通路形成部材側に設けられる必要がある。幅方向に分割される場合は、コイン通路形成部材側のコインレール部の突出幅はコイン厚さの少なくもと１／２以上を有し、基板前面側のコインレール部の突出幅は、コイン厚さの１／２未満でなけれならない。
【図面の簡単な説明】
【００５８】
【図１】本発明のコインセレクターを用いた回胴式遊技機の正面図である。
【図２】本発明のコインセレクターの一実施形態を基板とコイン通路形成部材とに分解した状態の概略斜視図である。
【図３】同コインセレクターの正面図である。
【図４】図３のＰ−Ｐ線断面図である。
【図５】コインセレクターからコイン通路形成部材を取り外した状態の正面図である。
【図６】正規のコインより径小のコインが排除される状態を示す正面図である。
【図７】図５のＱ−Ｑ線断面図である。
【図８】正規のコインより大径のコインが排除される状態を示す説明図である。
【図９】図７のＲ−Ｒ線断面図である。
【図１０】コインセレクターのコイン拒否状態を示す説明図である。
【図１１】図１０のＳ−Ｓ線断面図である。
【符号の説明】
【００５９】
Ｓ  コインセレクター
１  回胴式遊技機
１ａ  筐体
１ｂ  前扉
２  ドラム部
５  メダル投入口
６  精算ボタン
７  １ベットボタン
８  マックスベットボタン
９  スタートレバー（回胴回転始動装置）
１０  停止ボタン部
１１  表示演出装置
１２  スピーカ部
１３  遊技状態表示ＬＥＤ部
１４  ドア鍵穴
１５  受け皿
１６  メダル払出口
１８  メダル払出装置
１９  スペシャルボタン
２８  投入メダル詰まり返却ボタン
５０  固定基板
５１  径小コイン排除バー
５２  コインキャンセルバー
５３  コイン前傾助長溝
６０  コイン通路形成部材
６２  コインレール部
６３  コイン上端支持突縁
６４  誤検出防止用凹部
７０  コイン通路
７１  コイン入口
７２  コイン出口
８０，８１  反射型センサ
【図１】
2008036103.tif 000003
【図２】
2008036103.tif 000004
【図３】
2008036103.tif 000005
【図４】
2008036103.tif 000006
【図５】
2008036103.tif 000007
【図６】
2008036103.tif 000008
【図７】
2008036103.tif 000009
【図８】
2008036103.tif 000010
【図９】
2008036103.tif 000011
【図１０】
2008036103.tif 000012
【図１１】
2008036103.tif 000013
【手続補正書】
【提出日】平成18年10月27日(2006.10.27)
【手続補正１】
【補正対象書類名】特許請求の範囲
【補正対象項目名】全文
【補正方法】変更
【補正の内容】
【特許請求の範囲】
【請求項１】
コイン入り口に投入された正規のコインを、下流部に傾斜部が形成されたコイン通路を通過させ、コイン出口から排出するコインセレクターにおいて、
前記正規のコインより径小のコインを排除するコイン排除バー及び前記正規のコインを含めた全てのコインを前記コイン出口に到達させることなく、下方に落下させるコインキャンセルバーを有する固定基板と、
前記固定基板の前面に離間自在に取り付けられ、前記固定基板に密着した状態で前記コイン通路を前記固定基板と共同して形成すると共に、前記コイン通路の傾斜部を通過するコインを前面側へ排除するための窓孔を有する可動蓋式のコイン通路形成部材と、
前記コイン通路に臨み且つ前記コイン出口近傍に位置し、前記固定基板に設けられたコイン計数用光反射型センサとを具備し、
前記コイン通路形成部材には、前記固定基板に密着した状態における前記コイン計数用光反射型センサの対向位置に開口、側面及び前記光反射型センサと対向する底面を有し且つ前記コイン計数用光反射型センサのカバーとしての誤検出防止用凹部が設けられていること、
を特徴とするコインセレクター。
【請求項２】
請求項１に記載のコインセレクターにおいて、
前記誤検出用防止用凹部の底面は、不規則な凹凸状に形成されていること、
を特徴とするコインセレクター。
【手続補正２】
【補正対象書類名】明細書
【補正対象項目名】０００９
【補正方法】変更
【補正の内容】
【０００９】
請求項１に係る本発明のコインセレクターは、上記の目的を達成するために、コイン入り口に投入された正規のコインを、下流部に傾斜部が形成されたコイン通路を通過させ、コイン出口から排出するコインセレクターにおいて、前記正規のコインより径小のコインを排除するコイン排除バー及び前記正規のコインを含めた全てのコインを前記コイン出口に到達させることなく、下方に落下させるコインキャンセルバーを有する固定基板と、前記固定基板の前面に離間自在に取り付けられ、前記固定基板に密着した状態で前記コイン通路を前記固定基板と共同して形成すると共に、前記コイン通路の傾斜部を通過するコインを前面側へ排除するための窓孔を有する可動蓋式のコイン通路形成部材と、前記コイン通路に臨み且つ前記コイン出口近傍に位置し、前記固定基板に設けられたコイン計数用光反射型センサとを具備し、前記コイン通路形成部材には、前記固定基板に密着した状態における前記コイン計数用光反射型センサの対向位置に開口、側面及び前記光反射型センサと対向する底面を有し且つ前記コイン計数用光反射型センサのカバーとしての誤検出防止用凹部が設けられていることを特徴とする。
【手続補正３】
【補正対象書類名】明細書
【補正対象項目名】００１０
【補正方法】変更
【補正の内容】
【００１０】
請求項１に係る本発明のコインセレクターは、請求項１に記載のコインセレクターにおいて、前記誤検出用防止用凹部の底面は、不規則な凹凸状に形成されていることを特徴とする。